(57)【要約】【課題】類似度の基準を緩和することなく、認証を行う環境による認証精度を高める。【解決手段】生体から認証データを取得する認証データ入力部と、認証処理の開始から終了までの間に取得した認証データを蓄積する認証データ処理部と、取得した認証データを逐次に認証基礎データと照合し、類似度が所定の認証閾値を超える場合に認証を完了する照合部と、認証処理の開始から所定の時間を超えて認証が完了した場合に、蓄積してある認証データのうち、所定の判別閾値を超えるいずれかの認証データを認証基礎データに追加登録する認証基礎データ登録処理部とを備える。【選択図】図３
2009211556.tif 000002
【特許請求の範囲】
【請求項１】
生体から認証データを取得する認証データ入力部と、
認証処理の開始から終了までの間に取得した認証データを蓄積する認証データ処理部と、
取得した認証データを逐次に認証基礎データと照合し、類似度が所定の認証閾値を超える場合に認証を完了する照合部と、
認証処理の開始から所定の時間を超えて認証が完了した場合に、蓄積してある認証データのうち、所定の判別閾値を超えるいずれかの認証データを認証基礎データに追加登録する認証基礎データ登録処理部と
を備えたことを特徴とする生体認証装置。
【請求項２】
請求項１に記載の生体認証装置において、
前記認証基礎データ登録処理部は、蓄積してある認証データのうち、所定の判別閾値を超え、かつユーザが決定した認証データを認証基礎データに追加登録することを特徴とする生体認証装置。
【請求項３】
請求項２に記載の生体認証装置において、
ユーザの決定は、認証データを特定する認証の完了前の時間の指定、もしくは、認証データの一覧からの選択により行なわれることを特徴とする生体認証装置。
【請求項４】
請求項１乃至３のいずれか一項に記載の生体認証装置において、
前記照合部における認証の完了が所定の時間以内である場合は正常認証とし、所定のタイムアップ時間を経過した場合は不認証とすることを特徴とする生体認証装置。
【請求項５】
請求項１乃至４のいずれか一項に記載の生体認証装置において、
前記認証データ処理部は、認証処理の終了の後に、蓄積した認証データを削除することを特徴とする生体認証装置。
【請求項６】
生体から認証データを取得する認証データ入力工程と、
認証処理の開始から終了までの間に取得した認証データを蓄積する認証データ処理工程と、
取得した認証データを逐次に認証基礎データと照合し、類似度が所定の認証閾値を超える場合に認証を完了する照合工程と、
認証処理の開始から所定の時間を超えて認証が完了した場合に、蓄積してある認証データのうち、所定の判別閾値を超えるいずれかの認証データを認証基礎データに追加登録する認証基礎データ登録処理工程と
を備えたことを特徴とする生体認証方法。
【請求項７】
生体認証装置を構成するコンピュータを、
生体から認証データを取得する認証データ入力手段、
認証処理の開始から終了までの間に取得した認証データを蓄積する認証データ処理手段、
取得した認証データを逐次に認証基礎データと照合し、類似度が所定の認証閾値を超える場合に認証を完了する照合手段、
認証処理の開始から所定の時間を超えて認証が完了した場合に、蓄積してある認証データのうち、所定の判別閾値を超えるいずれかの認証データを認証基礎データに追加登録する認証基礎データ登録処理手段
として機能させることを特徴とする生体認証制御プログラム。
【発明の詳細な説明】
【技術分野】
【０００１】
本発明は、顔、指紋、声紋等により人を特定するための生体認証装置に関する。
【背景技術】
【０００２】
図１は従来における生体認証の概要を示す図であり、カメラ等の認証データ入力部１から顔画像等の認証データを取得し、取得した認証データを認証基礎データ記憶部３に予め登録されている認証基礎データと認証部２において照合することで一致性（類似性）を判断し、認証結果を出力するようになっている。すなわち、認証データと認証基礎データの類似度が所定の閾値を超える場合に認証の完了とし、所定の閾値に満たない場合は不認証とする。
【特許文献１】特開２００４−１５７６０２号公報
【発明の開示】
【発明が解決しようとする課題】
【０００３】
従来における生体認証は上述したように行われるものであったが、照合の対象となる認証基礎データは通常、適正な環境で取得して登録されたものであるため、実際に認証が行われる場面では、環境によって認証精度が大幅に低下してしまうという問題があった。例えば、顔画像であれば、適正な光量のもとで撮影した顔画像が認証基礎データとして登録されていることが多いが、実際に認証が行われるのが外出時であるような場合、光量の多い場所や反対に光量が少ない場所でカメラが作動した場合に、画面に顔は写っているものの、明るすぎたり暗すぎたりして十分な特徴抽出が行なえず、不認証となることがある。カメラと顔の距離や角度が不適切なために、登録画像と乖離する場合にも同様に不認証となることがある。指紋であれば、指先が清潔な状態で撮影した指紋画像が認証基礎データとして登録されていることが多いが、実際に認証が行われるのが夏季であるような場合、指先への汗や油の付着により画像が汚れ、十分な特徴抽出が行なえずに不認証となることがある。
【０００４】
このような場合、類似度の閾値を下げることで認証を行なえるようにすることができるが、本人を不認証とする事態は軽減できるものの、反対に登録されていない者を誤って認証してしまう可能性が高まり、セキュリティ上の問題が浮上する。
【０００５】
また、人間の行動として、例えば、顔認証において、外出時に光量の多い場所でカメラが作動した場合に、画面に顔は写っているものの光の加減で認証されない場合には、手で陰を作って明るさを緩和させる等の手当てを行って認証される方向に行動する。反対に、光量の少ない場所では体の向きを変えたり明るい場所に移動したりする等の行動をとる。
【０００６】
図２は顔認証における認証の過程における入力画像の変化の例を示す図であり、（ａ）は光量の多い場所における例、（ｂ）は光量の少ない場所における例である。すなわち、（ａ）では、顔の特徴が全く判別不能の画像ａ１から、輪郭が確認できる程度の画像ａ２、画像の明暗に問題のある画像ａ３、認識が微妙な画像ａ４を経て、認証閾値を超える認証可能な画像ａ５に達し、この時点で認証が行われる。なお、右端には認識基礎データの登録画像を示している。同様に、（ｂ）では、顔の特徴が全く判別不能の画像ｂ１から、輪郭が確認できる程度の画像ｂ２、画像の明暗に問題のある画像ｂ３、認識が微妙な画像ｂ４を経て、認証閾値を超える認証可能な画像ｂ５に達し、この時点で認証が行われる。
【０００７】
このような環境で認証を行う機会が多い場合、同じ環境においては上述したような行動を毎回行なわなければならず、認証されるまでの時間（認証スピード）が著しく遅くなるという問題がある。また、どのように行動しても認証閾値を超えることのできない環境においては、永遠に認証されることがない。
【０００８】
一方、特許文献１には、経年変化や認証時の入力情報のばらつきに対して本人の誤排除率を低下させることのできる人物認識装置が開示されている。しかしながら、特許文献１に開示された人物認識装置は、予め定められた所定の更新範囲内にある類似していると認識されたデータ、つまり認証された時点のデータにより登録情報を更新するものであり、経年変化により生体情報の特徴自体が変化していくような場合には有効であるものの、更新するデータのレベルに変化がないことになるため、上述した環境による不認証には対応できない。そのため、類似度の基準を緩和する（本人認証精度を下げる）ことでしか対応できないこととなるため、セキュリティ上の問題が浮上し、認証精度と認証率のバランスを考えた設定が必要となる。
【０００９】
本発明は上記の従来の問題点に鑑み提案されたものであり、その目的とするところは、類似度の基準を緩和することなく、認証を行う環境による認証精度を高めることのできる生体認証装置を提供することにある。
【課題を解決するための手段】
【００１０】
本発明の一実施形態では、生体から認証データを取得する認証データ入力部と、認証処理の開始から終了までの間に取得した認証データを蓄積する認証データ処理部と、取得した認証データを逐次に認証基礎データと照合し、類似度が所定の認証閾値を超える場合に認証を完了する照合部と、認証処理の開始から所定の時間を超えて認証が完了した場合に、蓄積してある認証データのうち、所定の判別閾値を超えるいずれかの認証データを認証基礎データに追加登録する認証基礎データ登録処理部とを備える。
【００１１】
好ましくは、前記認証基礎データ登録処理部は、蓄積してある認証データのうち、所定の判別閾値を超え、かつユーザが決定した認証データを認証基礎データに追加登録する。
【００１２】
好ましくは、ユーザの決定は、認証データを特定する認証の完了前の時間の指定、もしくは、認証データの一覧からの選択により行なわれる。
【００１３】
好ましくは、前記照合部における認証の完了が所定の時間以内である場合は正常認証とし、所定のタイムアップ時間を経過した場合は不認証とする。
【００１４】
好ましくは、前記認証データ処理部により蓄積された認証データを、データ再利用を目的とした他のデータ領域に移動する認証データ抽出部を備える。
【００１５】
好ましくは、前記認証データ処理部は、認証処理の終了の後に、蓄積した認証データを削除する。
【発明の効果】
【００１６】
本発明の生体認証装置にあっては、認証が行なわれる過程の認証データを蓄積し、ユーザの使用環境における認証前の認証データを認証基礎データとして追加するようにしているため、類似度の基準を緩和することなく、認証を行う環境による認証精度を高めることができる。
【発明を実施するための最良の形態】
【００１７】
以下、本発明の好適な実施形態につき説明する。
【００１８】
＜構成＞
図３は本発明の一実施形態にかかる生体認証装置の構成例を示す図であり、携帯電話に適用した例である。なお、携帯電話に限らず、ＰＣ（Personal Computer）や専用機器等に適用することも可能である。
【００１９】
図３において、生体認証装置１００は、各種のボタン等を含む操作部１１０と、カメラ、マイク等の認証データ入力部１２０と、ＬＣＤ（Liquid Crystal Display）等を含む表示部１３０と、メモリ等の記憶部１８０とを備えている。記憶部１８０には、データ領域として、認証処理の開始から認証完了もしくはタイムアップまでの認証データを全て記憶する事前記憶部１８１と、認証における照合に用いられる認証基礎データを記憶する認証基礎データ記憶部１８２と、認証データを他の目的で再利用するために記憶する認証データ記憶部１８３とが設けられている。データ構造については後述する。
【００２０】
また、生体認証装置１００は、操作部１１０による所定の操作に応じて処理を開始し、認証データ入力部１２０からの画像、音声等の認証データの取得、取得した認証データの事前記憶部１８１への蓄積、後述する認証基礎部１５０への認証データの送信、認証基礎部１５０からの照合結果の受信、事前記憶部１８１の認証データへの照合結果の記録、事前記憶部１８１に記憶された認証データの削除等を行う認証データ処理部１４０を備えている。
【００２１】
認証基礎部１５０は認証の主要な処理を行う部分であり、認証データ処理部１４０から認証データを入力するデータ入力部１５１と、データ入力部１５１を介して取得した認証データと認証基礎データ記憶部１８２に予め記憶された認証基礎データとを照合することで類似度を判断し、認証閾値を超えるか否かにより認証を行う照合部１５２と、認証データ処理部１４０に照合結果等を送信するデータ送信部１５３とを備えている。また、認証基礎部１５０は、照合部１５２の認証の状況（認証の完了、タイムアップ、認証の完了までの時間等）を判断し、必要に応じて認証結果を表示部１３０に表示させる認証状況判断部１５４と、認証の完了までの時間が所定時間を超える場合に後述する認証データ抽出部１６０に認証遅延通知を送信する認証遅延通知送信部１５５と、認証基礎データの新規登録もしくは後述する登録追加確認部１７０からの認証基礎データの追加登録の要求に応じて認証基礎データ記憶部１８２に認証基礎データを登録し、登録追加確認部１７０からの要求に応じて追加登録を行った場合にデータ送信部１５３を介して認証データ処理部１４０に事前記憶部１８１の記憶内容の削除要求を送信する認証基礎データ登録処理部１５６とを備えている。
【００２２】
認証データ抽出部１６０は、認証遅延通知送信部１５５から認証遅延通知を受信した場合に事前記憶部１８１から認証データを抽出し、認証データ記憶部１８３に登録する機能を有している。登録追加確認部１７０は、認証データ抽出部１６０が事前記憶部１８１から抽出した認証データのうち、認証のための照合を行う上で最低限の特徴抽出ができるレベルに相当する所定の判別閾値を超え、かつ、ユーザが決定した認証データを特定して認証基礎データ登録処理部１５６に追加登録を要求する機能を有している。
【００２３】
なお、認証データ処理部１４０、認証基礎部１５０、認証データ抽出部１６０、登録追加確認部１７０は、ＣＰＵ（Central Processing Unit）、ＲＯＭ（Read Only
Memory）、ＲＡＭ（Random Access Memory）等のハードウェア資源上で実行されるコンピュータプログラムによって実現されるものである。
【００２４】
図４は事前記憶部１８１のデータ構造例を示す図であり、各認証データは、認証データ入力部１２０から入力した順序を示す入力番号を含むヘッダ情報と、認証データのファイル名と、画像データ本体等のデータと、認証基礎データとの照合による類似度を含む照合結果のフィールドを有している。照合結果のフィールドは、蓄積した当初はブランクである。また、各認証データは、必要に応じて複数のフォルダに分かれて記憶される。
【００２５】
図５は認証基礎データ記憶部１８２のデータ構造例を示す図であり、各認証基礎データは、登録した順序を示す登録番号を含むヘッダ情報と、認証基礎データのファイル名と、画像データ本体等のデータとを有している。
【００２６】
認証データ記憶部１８３のデータ構造は図示を省略してあるが、図４に示した認証データと同様の構造を有している。なお、認証データ記憶部１８３は認証データを他の目的で再利用するものであるため、照合結果のフィールドは省略してもよい。
【００２７】
＜動作＞
図６は上記の実施形態の処理例を示すフローチャートである。
【００２８】
図６において、操作部１１０による所定の操作により認証処理を開始すると（ステップＳ１０１）、認証データ処理部１４０は認証データ入力部１２０から画像データ、音声データ等の認証データを取得し（ステップＳ１０２）、事前記憶部１８１に蓄積を行うとともに（ステップＳ１０３）、認証データを認証基礎部１５０に送信する（ステップＳ１０４）。
【００２９】
認証基礎部１５０は、データ入力部１５１により認証データ処理部１４０から認証データを入力すると、照合部１５２により認証基礎データ記憶部１８２に記憶された認証基礎データとの間で照合を行い（ステップＳ１０５）、照合結果をデータ送信部１５３により認証データ処理部１４０に送信する（ステップＳ１０６）。
【００３０】
認証データ処理部１４０は認証基礎部１５０のデータ送信部１５３から照合結果を受信すると、事前記憶部１８１の対応する認証データ（最後に記憶した認証データ）の照合結果のフィールドに記録する（ステップＳ１０７）。
【００３１】
次いで、認証基礎部１５０の認証状況判断部１５４は照合部１５２の照合により類似度が所定の認証閾値を超えることで認証が完了したか、あるいは、処理開始から所定時間（例：数十秒）がタイムアップしたか否か判断する（ステップＳ１０８）。認証の完了でもなくタイムアップでもない場合（ステップＳ１０８のＮｏ）、認証状況判断部１５４はデータ送信部１５３を介して認証データ処理部１４０に次の認証データについての処理を要求し、認証データ処理部１４０は認証データの取得（ステップＳ１０２）から同様の処理を繰り返す。
【００３２】
また、認証が完了した場合（ステップＳ１０８の完了）、認証状況判断部１５４は認証の完了が所定時間（例：３秒）以内であったか否か判断する（ステップＳ１０９）。
【００３３】
認証の完了が所定時間以内でなかった場合（ステップＳ１０９のＮｏ）、すなわち、所定時間を超えて認証が完了した場合、認証状況判断部１５４は認証遅延通知送信部１５５により認証遅延通知を認証データ抽出部１６０に送信する（ステップＳ１１０）。
【００３４】
認証遅延通知を受信した認証データ抽出部１６０は、事前記憶部１８１から一連の認証データを抽出し、認証データ記憶部１８３に記憶する（ステップＳ１１１）。
【００３５】
次いで、登録追加確認部１７０は認証データ抽出部１６０が事前記憶部１８１から抽出した一連の認証データにつき、照合結果のフィールドを参照することで、認証のための照合を行う上で最低限の特徴抽出ができるレベルに相当する所定の判別閾値を超え、かつ、ユーザが決定した認証データを特定して認証基礎データ登録処理部１５６に追加登録を要求し、認証基礎データ登録処理部１５６は認証基礎データ記憶部１８２に追加登録を行う（ステップＳ１１２）。ここで、ユーザが決定した認証データとは、例えば、事前にユーザが３秒前の認証データを追加登録するように設定してある場合は、認証の完了から３秒前に取得した認証データとなる。また、判別閾値を超える一連の認証データの縮小画像等を表示部１３０に表示し、その中からユーザに認証基礎データとして追加登録する認証データを選択させるようにしてもよい。
【００３６】
認証基礎データ登録処理部１５６は認証基礎データ記憶部１８２への認証基礎データの追加登録が完了すると、データ送信部１５３を介して認証データ処理部１４０に事前記憶部１８１の不要になった認証データの削除を要求し、認証データ処理部１４０は事前記憶部１８１から認証データを削除し（ステップＳ１１３）、処理を終了する（ステップＳ１１４）。
【００３７】
一方、認証がタイムアップした場合（ステップＳ１０８のタイムアップ）、認証状況判断部１５４は不認証とし、データ送信部１５３を介して認証データ処理部１４０に事前記憶部１８１の不要になった認証データの削除を要求し、認証データ処理部１４０は事前記憶部１８１から認証データを削除し（ステップＳ１１３）、処理を終了する（ステップＳ１１４）。
【００３８】
同様に、認証の完了が所定時間以内であった場合（ステップＳ１０９のＹｅｓ）、認証状況判断部１５４は正常認証とし、データ送信部１５３を介して認証データ処理部１４０に事前記憶部１８１の不要になった認証データの削除を要求し、認証データ処理部１４０は事前記憶部１８１から認証データを削除し（ステップＳ１１３）、処理を終了する（ステップＳ１１４）。
【００３９】
図７は顔認証における光度への対応の例を示す図であり、縦軸は顔画像を撮影する環境の光度、横軸はその環境で撮影した画像による照合結果の類似度を示している。今、明るすぎる環境の点ａ１から認証を開始したとすると、顔画像が適正に撮影されていないことに気付いたユーザは、手で陰を作って明るさを緩和させる等の手当てを行い、ａ２→ａ３→ａ４→ａ５と移行し、ａ５の時点で認証が完了する。図８（ａ）は同符号で各時点の画像の例を示しており、顔の特徴が全く判別不能の画像ａ１から、輪郭が確認できる程度の画像ａ２、画像の明暗に問題のある画像ａ３、認識が微妙な画像ａ４を経て、認識閾値を超える認証可能な画像ａ５に達する様子を示している。この場合、図６で説明した処理により、画像ａ１〜画像ａ５が事前記憶部１８１に記憶され、判別閾値を超える画像ａ２〜画像ａ５のうち、ユーザが決定した画像が認証基礎データ記憶部１８２に追加登録される。
【００４０】
同様に、図７で暗すぎる環境の点ｂ１から認証を開始したとすると、顔画像が適正に撮影されていないことに気付いたユーザは、体の向きを変えたり明るい場所に移動したりする等の手当てを行い、ｂ２→ｂ３→ｂ４→ｂ５と移行し、ｂ５の時点で認証が完了する。図８（ｂ）は同符号で各時点の画像の例を示しており、顔の特徴が全く判別不能の画像ｂ１から、輪郭が確認できる程度の画像ｂ２、画像の明暗に問題のある画像ｂ３、認識が微妙な画像ｂ４を経て、認識閾値を超える認証可能な画像ｂ５に達する様子を示している。この場合、図６で説明した処理により、画像ｂ１〜画像ｂ５が事前記憶部１８１に記憶され、判別閾値を超える画像ｂ２〜画像ｂ５のうち、ユーザが決定した画像が認証基礎データ記憶部１８２に追加登録される。
【００４１】
従って、いずれの場合も、その後に同様な環境で認証を開始した場合、以前に行ったような行動を最後まで行わなくても途中で認証が完了する可能性が高まり、場合によってはそのような行動を全く行わなくても認証が完了する可能性が高まり、認証されないか、あるいは認証時間が長くなりリトライを繰り返すというリスクが減少する。外部環境の変化がある場合においては特に、認証のスピードを劇的に速めることができる。例えば、図８（ａ）の画像ａ３が認証基礎データとして追加登録された場合、画像ａ２の状態でも認証閾値を超える類似度を得ることができ、認証が完了する。同様に、例えば、図８（ｂ）の画像ｂ３が認証基礎データとして追加登録された場合、画像ｂ２の状態でも認証閾値を超える類似度を得ることができ、認証が完了する。
【００４２】
また、以前はどのように行動しても認証閾値を超えることのできない環境であっても、本人の使用環境を反映した、その環境により近い認証基礎データが追加登録されるため、認証が完了する可能性が高まる。
【００４３】
＜総括＞
以上説明したように、本発明の実施形態によれば、認証が行なわれる過程の認証データを蓄積し、ユーザの使用環境における認証前の認証データを認証基礎データとして追加するようにしているため、類似度の基準を緩和することなく、認証を行う環境による認証精度を高めることができる。
【００４４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
（付記１）
生体から認証データを取得する認証データ入力部と、
認証処理の開始から終了までの間に取得した認証データを蓄積する認証データ処理部と、
取得した認証データを逐次に認証基礎データと照合し、類似度が所定の認証閾値を超える場合に認証を完了する照合部と、
認証処理の開始から所定の時間を超えて認証が完了した場合に、蓄積してある認証データのうち、所定の判別閾値を超えるいずれかの認証データを認証基礎データに追加登録する認証基礎データ登録処理部と
を備えたことを特徴とする生体認証装置。
（付記２）
付記１に記載の生体認証装置において、
前記認証基礎データ登録処理部は、蓄積してある認証データのうち、所定の判別閾値を超え、かつユーザが決定した認証データを認証基礎データに追加登録することを特徴とする生体認証装置。
（付記３）
付記２に記載の生体認証装置において、
ユーザの決定は、認証データを特定する認証の完了前の時間の指定、もしくは、認証データの一覧からの選択により行なわれることを特徴とする生体認証装置。
（付記４）
付記１乃至３のいずれか一項に記載の生体認証装置において、
前記照合部における認証の完了が所定の時間以内である場合は正常認証とし、所定のタイムアップ時間を経過した場合は不認証とすることを特徴とする生体認証装置。
（付記５）
付記１乃至４のいずれか一項に記載の生体認証装置において、
前記認証データ処理部により蓄積された認証データを、データ再利用を目的とした他のデータ領域に移動する認証データ抽出部
を備えたことを特徴とする生体認証装置。
（付記６）
付記１乃至５のいずれか一項に記載の生体認証装置において、
前記認証データ処理部は、認証処理の終了の後に、蓄積した認証データを削除することを特徴とする生体認証装置。
（付記７）
生体から認証データを取得する認証データ入力工程と、
認証処理の開始から終了までの間に取得した認証データを蓄積する認証データ処理工程と、
取得した認証データを逐次に認証基礎データと照合し、類似度が所定の認証閾値を超える場合に認証を完了する照合工程と、
認証処理の開始から所定の時間を超えて認証が完了した場合に、蓄積してある認証データのうち、所定の判別閾値を超えるいずれかの認証データを認証基礎データに追加登録する認証基礎データ登録処理工程と
を備えたことを特徴とする生体認証方法。
（付記８）
付記７に記載の生体認証方法において、
前記認証基礎データ登録処理工程は、蓄積してある認証データのうち、所定の判別閾値を超え、かつユーザが決定した認証データを認証基礎データに追加登録することを特徴とする生体認証方法。
（付記９）
付記８に記載の生体認証方法において、
ユーザの決定は、認証データを特定する認証の完了前の時間の指定、もしくは、認証データの一覧からの選択により行なわれることを特徴とする生体認証方法。
（付記１０）
付記７乃至９のいずれか一項に記載の生体認証方法において、
前記照合工程における認証の完了が所定の時間以内である場合は正常認証とし、所定のタイムアップ時間を経過した場合は不認証とすることを特徴とする生体認証方法。
（付記１１）
付記７乃至１０のいずれか一項に記載の生体認証方法において、
前記認証データ処理工程により蓄積された認証データを、データ再利用を目的とした他のデータ領域に移動する認証データ抽出工程
を備えたことを特徴とする生体認証方法。
（付記１２）
付記７乃至１１のいずれか一項に記載の生体認証方法において、
前記認証データ処理工程は、認証処理の終了の後に、蓄積した認証データを削除することを特徴とする生体認証方法。
（付記１３）
生体認証装置を構成するコンピュータを、
生体から認証データを取得する認証データ入力手段、
認証処理の開始から終了までの間に取得した認証データを蓄積する認証データ処理手段、
取得した認証データを逐次に認証基礎データと照合し、類似度が所定の認証閾値を超える場合に認証を完了する照合手段、
認証処理の開始から所定の時間を超えて認証が完了した場合に、蓄積してある認証データのうち、所定の判別閾値を超えるいずれかの認証データを認証基礎データに追加登録する認証基礎データ登録処理手段
として機能させることを特徴とする生体認証制御プログラム。
（付記１４）
付記１３に記載の生体認証制御プログラムにおいて、
前記認証基礎データ登録処理手段は、蓄積してある認証データのうち、所定の判別閾値を超え、かつユーザが決定した認証データを認証基礎データに追加登録することを特徴とする生体認証制御プログラム。
（付記１５）
付記１４に記載の生体認証制御プログラムにおいて、
ユーザの決定は、認証データを特定する認証の完了前の時間の指定、もしくは、認証データの一覧からの選択により行なわれることを特徴とする生体認証制御プログラム。
（付記１６）
付記１３乃至１５のいずれか一項に記載の生体認証制御プログラムにおいて、
前記照合手段における認証の完了が所定の時間以内である場合は正常認証とし、所定のタイムアップ時間を経過した場合は不認証とすることを特徴とする生体認証制御プログラム。
（付記１７）
付記１３乃至１６のいずれか一項に記載の生体認証制御プログラムにおいて、
生体認証装置を構成するコンピュータを、
前記認証データ処理手段により蓄積された認証データを、データ再利用を目的とした他のデータ領域に移動する認証データ抽出手段
として機能させることを特徴とする生体認証制御プログラム。
（付記１８）
付記１３乃至１７のいずれか一項に記載の生体認証制御プログラムにおいて、
前記認証データ処理手段は、認証処理の終了の後に、蓄積した認証データを削除することを特徴とする生体認証制御プログラム。
【図面の簡単な説明】
【００４５】
【図１】従来における生体認証の概要を示す図である。
【図２】認証の過程における入力画像の変化の例を示す図である。
【図３】本発明の一実施形態にかかる生体認証装置の構成例を示す図である。
【図４】事前記憶部のデータ構造例を示す図である。
【図５】認証基礎データ記憶部のデータ構造例を示す図である。
【図６】実施形態の処理例を示すフローチャートである。
【図７】光度への対応の例を示す図である。
【図８】認証の過程における入力画像の変化の例を示す図である。
【符号の説明】
【００４６】
１００        生体認証装置
１１０        操作部
１２０        認証データ入力部
１３０        表示部
１４０        認証データ処理部
１５０        認証基礎部
１５１        データ入力部
１５２        照合部
１５３        データ送信部
１５４        認証状況判断部
１５５        認証遅延通知送信部
１５６        認証基礎データ登録処理部
１６０        認証データ抽出部
１７０        登録追加確認部
１８０        記憶部
１８１        事前記憶部
１８２        認証基礎データ記憶部
１８３        認証データ記憶部
ａ１〜ａ５    画像
ｂ１〜ｂ５    画像
【図１】
2009211556.tif 000003
【図３】
2009211556.tif 000004
【図４】
2009211556.tif 000005
【図５】
2009211556.tif 000006
【図６】
2009211556.tif 000007
【図７】
2009211556.tif 000008
【図２】
2009211556.tif 000009
【図８】
2009211556.tif 000010